(57)【要約】【課題】外部機器が接続されるポートを備える電子機器の利便性を向上する。【解決手段】電子機器１は、電源スイッチ１２と、外部機器４が接続されるポート１１と、ポート１１に電力を供給可能な電力供給部１３と、ポート１１における過電流の発生を検知するための検知部１４と、検知部１４からの情報に基づいて前記過電流が発生していると判断された場合に、電力供給部１３によるポート１１への電力供給を停止させる制御部１７と、を備える。制御部１７は、ポート１１への電力供給が停止された場合に、復帰処理を行うか否かを選択可能とする映像情報を出力する。前記復帰処理は、電源スイッチ１２のオン状態を維持しつつポート１１への電力供給を復帰させる処理である。【選択図】図２
2013143081.tif 000002
【特許請求の範囲】
【請求項１】
電源スイッチと、
外部機器が接続されるポートと、
前記ポートに電力を供給可能な電力供給部と、
前記ポートにおける過電流の発生を検知するための検知部と、
前記検知部からの情報に基づいて前記過電流が発生していると判断された場合に、前記電力供給部による前記ポートへの電力供給を停止させる制御部と、を備え、
前記制御部は、前記ポートへの電力供給が停止された場合に、復帰処理を行うか否かを選択可能とする映像情報を出力し、
前記復帰処理は、前記電源スイッチのオン状態を維持しつつ前記ポートへの電力供給を復帰させる処理である、電子機器。
【請求項２】
前記映像情報を見たユーザーが選択結果を入力するための入力部を更に備え、
前記制御部は、前記入力部による入力結果に基づいて前記復帰処理を行うか否かを判断する、請求項１に記載の電子機器。
【請求項３】
前記制御部は、前記復帰処理に失敗した場合には、前記電源スイッチがオフされるまで前記ポートへの電力供給を停止する、請求項２に記載の電子機器。
【請求項４】
前記ポートへの電力供給が停止されたことを通知する通知部を更に備える、請求項１から３のいずれかに記載の電子機器。
【請求項５】
前記映像情報が表示される表示部が、当該電子機器とは別に設けられる、請求項１から４のいずれかに記載の電子機器。
【請求項６】
前記映像情報が表示される表示部を更に備える、請求項１から４のいずれかに記載の電子機器。
【請求項７】
前記ポートがＵＳＢポートである、請求項１から６のいずれかに記載の電子機器。
【発明の詳細な説明】
【技術分野】
【０００１】
本発明は、外部機器が接続されるポートを備える電子機器に関する。
【背景技術】
【０００２】
従来、例えばＵＳＢ（Universal Serial Bus）ポート等の外部機器が接続されるポートを備える電子機器が知られている。ＵＳＢポートを備える電子機器は、ＵＳＢポートを介して外部機器（ＵＳＢデバイス）に駆動電力を供給する。このような電子機器では、例えば消費電力の大きな外部機器が接続された場合に、ＵＳＢポートで過電流が生じることがある。ここで、過電流とは、予め設定された電流値（規格値）を超える電流が流れている状態のことを指している。
【０００３】
ＵＳＢポートで過電流が生じると、例えば電子機器における電力供給部や制御用ＩＣ（Integrated Circuit）等の破損が生じる可能性があり、電子機器の安定した動作が保証できなくなる。このために、ＵＳＢポートを備える従来の電子機器は、通常、ＵＳＢポートにおいて過電流が生じたことを検知すると、ＵＳＢポートへの電力供給を停止（遮断）する構成になっている（例えば特許文献１や２参照）。
【先行技術文献】
【特許文献】
【０００４】
【特許文献１】特開２０１０−２８２５７４号公報
【特許文献２】特開２００８−１２３１３８号公報
【発明の概要】
【発明が解決しようとする課題】
【０００５】
ところで、従来の電子機器（ＵＳＢポートを備える）では、過電流検知によってＵＳＢポートへの電力供給が停止された場合、電子機器の電源が一旦オフされないと、ＵＳＢポートへの電力供給が復帰されない。ＵＳＢポートへの電力供給を復帰させるために電子機器の電源を一旦オフしてから再度オンする処理は、例えば処理時間が長くなる等、ユーザーに対してストレスを与えることが懸念された。
【０００６】
そこで、本発明は、外部機器が接続されるポートを備える電子機器の利便性を向上することを目的とする。
【課題を解決するための手段】
【０００７】
上記目的を達成するために本発明の電子機器は、電源スイッチと、外部機器が接続されるポートと、前記ポートに電力を供給可能な電力供給部と、前記ポートにおける過電流の発生を検知するための検知部と、前記検知部からの情報に基づいて前記過電流が発生していると判断された場合に、前記電力供給部による前記ポートへの電力供給を停止させる制御部と、を備え、前記制御部は、前記ポートへの電力供給が停止された場合に、復帰処理を行うか否かを選択可能とする映像情報を出力し、前記復帰処理は、前記電源スイッチのオン状態を維持しつつ前記ポートへの電力供給を復帰させる処理である構成（第１の構成）とされる。なお、過電流とは、予め設定された電流値（規格値）を超える電流が流れている状態のことを指している。
【０００８】
本構成によれば、外部機器が接続されるポートにおいて過電流が発生した場合に、自動的に当該ポートへの電力供給が停止される。このために、本構成の電子機器は、ＩＣ等の破損が発生し難く、安定した動作が期待できる。また、本構成の電子機器では、外部機器が接続されるポートへの電力供給が停止された後において、一旦、電源スイッチをオフしなくても、当該ポートへの電力供給を復帰させられる場合がある。この復帰動作は、短時間（例えば数秒）で達成可能であり、ユーザーのストレスを緩和可能である。また、本構成によれば、ユーザーが電子機器の電源スイッチをオフしたくない場合においても、停止されたポートへの電力供給を復帰させられる場合がある。このため、本構成の電子機器は、ユーザーにとって使い勝手が良いと言える。
【０００９】
上記第１の構成の電子機器において、前記映像情報を見たユーザーが選択結果を入力するための入力部が更に備えられ、前記制御部は、前記入力部による入力結果に基づいて前記復帰処理を行うか否かを判断する構成（第２の構成）とするのが好ましい。
【００１０】
上記第２の構成の電子機器において、前記制御部は、前記復帰処理に失敗した場合には、前記電源スイッチがオフされるまで前記ポートへの電力供給を停止する構成（第３の構成）であっても構わない。
【００１１】
上記第１から第３のいずれかの構成の電子機器において、前記ポートへの電力供給が停止されたことを通知する通知部が更に備えられる構成（第４の構成）であってもよい。前記通知部としては、例えば発光手段が用いられてもよい。これにより、外部機器が接続されるポートへの電力供給が停止されたことを、ユーザーが認識し易くできる。
【００１２】
上記第１から第４のいずれかの構成の電子機器において、前記映像情報が表示される表示部が、当該電子機器とは別に設けられる構成（第５の構成）であってもよい。このような構成の電子機器として、例えば光ディスク装置（光ディスクの再生及び／又は記録を行える装置）、パーソナルコンピューター、プロジェクター等が挙げられる。
【００１３】
上記第１から第４のいずれかの構成の電子機器において、前記映像情報が表示される表示部が更に備えられる構成（第６の構成）であってもよい。このような構成の電子機器として、例えばテレビジョン受像機等が挙げられる。
【００１４】
上記第１から第６のいずれかの構成の電子機器において、前記ポートがＵＳＢポートである構成（第７の構成）が採用されてもよい。前記ポートはＵＳＢポートに限らず、信号ラインと電源ラインとを有するポートであれば、他の種類のポートであってもよい。
【発明の効果】
【００１５】
本発明によれば、外部機器が接続されるポートを備える電子機器の利便性を向上できる。
【図面の簡単な説明】
【００１６】
【図１】本発明の電子機器を含む電子機器システムの実施形態を示す概略斜視図
【図２】本実施形態の光ディスク装置の構成を示すブロック図
【図３】本実施形態の光ディスク装置が備える制御部の構成を示すブロック図
【図４】本実施形態の光ディスク装置において実行される、ＵＳＢポートにおいて過電流が発生した場合の対処手順を示すフローチャート
【図５】本実施形態の表示装置に表示される選択画面の一例を示す図
【図６】本実施形態の表示装置に表示される、復帰処理に失敗した場合の画面例を示す図
【図７】本実施形態の表示装置に表示される、復帰処理に成功した場合の画面例を示す図
【発明を実施するための形態】
【００１７】
以下、本発明の電子機器の実施形態について、図面を参照しながら詳細に説明する。図１は、本発明の電子機器を含む電子機器システムＥＳの実施形態の構成を示す概略斜視図である。図１に示すように、実施形態に係る電子機器システムＥＳは、本発明の電子機器の一例である光ディスク装置１と、本発明の「電子機器とは別に設けられる表示部」の一例である表示装置２と、を備える。
【００１８】
なお、光ディスク装置１は、例えば、光ディスクの再生のみを行える装置（光ディスクプレーヤー）であってもよいし、光ディスクの再生及び記録を行える装置（光ディスクレコーダー）であってもよい。光ディスク装置１が再生や記録を行える光ディスクの種類としては、例えばＢＤ（ブルーレイディスク）やＤＶＤ（デジタル多用途ディスク）等が挙げられる。光ディスク装置１は、１種類の光ディスクに対応するものでもよいし、複数種類の光ディスクに対応するものでもよい。
【００１９】
光ディスク装置１は、光ディスクを出し入れするための公知の機構を有する。この公知の機構は、光ディスクを載置するトレイを使用する機構でもよいし、前述のトレイを使用することなく光ディスクを直接出し入れする機構（スロットインタイプと呼ばれる機構）でもよい。また、光ディスク装置１は、光ディスクを回転させるモーターと、光ディスクに光を照射することによって得られた光信号を電気信号に変換して出力する光ピックアップとを含む、公知の光ディスクドライブ（不図示）を備える。その他、光ディスク装置１は、映像や音声に関する信号処理を行う信号処理部（不図示）も含む。
【００２０】
なお、光ディスク装置１が光ディスクレコーダーである場合には、装置内には、外部アンテナを介して入力されたテレビ放送信号の中から所望のチャンネルを選局可能とするチューナー部が備えられてよい。また、光ディスク装置１には、ＨＤＤ（Hard Disk Drive）が内蔵されてもよい。
【００２１】
表示装置２は、例えばＨＤＭＩ（High-Definition Multimedia Interface）ケーブルやコンポジットケーブル等の通信ケーブルによって光ディスク装置１に接続される。表示装置２は、光ディスク装置１から出力される映像信号（映像情報）に基づいて画面２ａに映像を表示する。表示装置２は、例えば液晶ディスプレイ、プラズマディスプレイ、ＣＲＴ（Cathode Ray Tube）ディスプレイ等とできる。
【００２２】
図１に示すように、光ディスク装置１は、その前面にＵＳＢデバイス（本発明の外部機器の一例）が接続されるＵＳＢポート１１を備える。なお、ＵＳＢデバイスとしては、例えばＵＳＢメモリ（ＵＳＢコネクタがケーブルを介さずに直接本体についている形状のもの）や、ＵＳＢケーブルを介して接続される外付けのＨＤＤ等が挙げられる。ＵＳＢポート１１には、信号ラインと電源ラインとが含まれる。本実施形態では、ＵＳＢポート１１の数が１つとされているが、ＵＳＢポート１１の数は複数であっても構わない。
【００２３】
ＵＳＢポート１１の電源ラインに、予め設定された電流値（規格値）を超える電流が流れる状態が発生すると（すなわち、ＵＳＢポート１１において過電流が発生すると）、例えば光ディスク装置１においてＩＣの破損等が発生することが懸念される。このために、光ディスク装置１においては、ＵＳＢポート１１において過電流が発生した場合に、ＵＳＢポート１１への電力供給が停止（遮断）される仕組みが備えられている。そして、ＵＳＢポート１１への電力供給が停止された場合の対処の仕方（それに関わる構成）について、光ディスク装置１は特徴を有する。以下、この特徴点について説明する。
【００２４】
なお、ＵＳＢポート１１における過電流の発生は、例えば、想定外に大きな消費電力を持ったＵＳＢデバイスがＵＳＢポート１１に接続された場合や、ＵＳＢポート１１やその周辺でショートが発生した場合等に起こる。ここで言うショートには、例えば静電気等が原因となって一時的に発生するものも含む趣旨である。
【００２５】
図２は、本実施形態の光ディスク装置１の構成を示すブロック図である。なお、図２は、上述の特徴点を説明するために必要な要素を重点的に示している。また、図２には、説明の便宜のため、表示装置２やＵＳＢデバイス４といった、光ディスク装置１に接続される機器も示されている。
【００２６】
図２に示すように、光ディスク装置１は電源スイッチ１２（本発明の電源スイッチの一例）を有する。この電源スイッチ１２は、外部電源５（例えば商用電源）から光ディスク装置１への電力供給をオンオフするスイッチである。本実施形態では、この電源スイッチ１２のオンオフは、装置の前面に設けられる電源ボタン１２ａの押圧によって実現される。なお、この電源ボタン１２ａの押圧の代わり、リモコン装置（不図示）を用いて電源スイッチ１２のオンオフが可能となる構成が採用されてもよい。
【００２７】
電力供給部１３は、外部電源５から入力される（電源スイッチ１２がオンであることを想定）交流電力を直流電力に変換し、装置内の各部に駆動電力を供給する。例えば、ＵＳＢポート１１の電源ラインには、この電力供給部１３から電流検知部１４を介して、５Ｖの電力が供給される。なお、電流検知部１４は、電力供給部１３からＵＳＢポート１１（ＵＳＢポート１１の電源ライン）へと供給される電力の電流値を検知する。電流検知部１４は、検知した電流値を制御部１７へと出力する。この電流検知部１４は、本発明の「過電流の発生を検知するための検知部」の一例である。
【００２８】
発光部１５は、ＵＳＢポート１１への電力供給が停止れた状態を通知する手段として使用される。発光部１５は、例えばＬＥＤ（Light Emitting Diode）によって構成してよい。本実施形態では、図１に示すように、ＵＳＢポート１１の下部側に発光部１５が設けられている。ＵＳＢポート１１が複数とされる場合には、ＵＳＢポート１１の数に対応させて発光部１５も複数としてよい。
【００２９】
電力供給部１３には、制御部１７からの制御信号に応じてオンオフが切り替えられるスイッチング素子（例えばトランジスタ等で構成される）が含まれる。電力供給部１３が備えるスイッチング素子の中に、ＵＳＢポート用のスイッチング素子と、発光部用のスイッチング素子とが含まれる（いずれも不図示）。
【００３０】
ＵＳＢポート用のスイッチング素子がオン状態の場合には、電力供給部１３からＵＳＢポート１１に電力が供給される。一方、ＵＳＢポート用のスイッチング素子がオフ状態の場合には、ＵＳＢポート１１への電力供給が停止される。また、発光部用のスイッチング素子がオン状態の場合には、電力供給部１３から発光部１５に電力が供給される。一方、ＵＳＢポート用のスイッチング素子がオフ状態の場合には、発光部１５に電力が供給されない。
【００３１】
入力部１６は、ユーザーが光ディスク装置１に対して指令を入力するために設けられる。この入力部１６は、例えば光ディスク装置１の本体部に設けられる入力ボタン等でもよいし、リモコン装置及びリモコン受信部（電子機器１本体に設けられる）を備えるリモコンシステムであってもよい。入力部１６によって入力された情報は、制御部１７に出力される。
【００３２】
制御部１７は、光ディスク装置１の全体を制御するものであり、本発明の制御部の一例である。制御部１７は、ＣＰＵ（Central Processing Unit）、ＲＡＭ（Random Access Memory）、及び、ＲＯＭ（Read Only Memory）等を備える。図３は、本実施形態の光ディスク装置１が備える制御部１７の構成を示すブロック図である。図３に示すように、制御部１７は、過電流判断部１７１と、電力供給制御部１７２と、映像処理部１７３と、復帰処理判断部１７４と、を含む。
【００３３】
過電流判断部１７１は、電流検知部１４から出力された情報（電流値）に基づいて、ＵＳＢポート１１において過電流が発生しているか否かを判断する。過電流判断部１７１は、電流検知部１４で検知された電流値が、予め設定された電流値（例えば５００ｍＡ）を超えた場合に過電流が生じたと判断する。過電流判断部１７１における判断結果に応じて、電力供給制御部１７２や映像処理部１７３における動作が適宜実行される。
【００３４】
電力供給制御部１７２は、ＵＳＢポート１１及び発光部１５への電力供給を制御する。電力供給制御部１７２は、ＵＳＢポート用のスイッチング素子をオン又はオフする制御信号を電力供給部１３に出力する。また、電力供給制御部１７２は、発光部用のスイッチング素子をオン又はオフする制御信号を電力供給部１３に出力する。
【００３５】
映像処理部１７３は、表示装置２の画面２ａに表示させるＯＳＤ（On-Screen Display）映像（映像信号・映像情報）を生成する。映像処理部１７３で生成された映像信号は、表示装置２に出力される。映像処理部１７３で生成される映像信号には、ＵＳＢポート１１への電力供給を復帰させる復帰処理を行うか否かの選択（ユーザーによる選択）を可能とするＯＳＤ映像用の映像信号が含まれる。なお、ここで言う復帰処理は、電源スイッチ１２のオンが維持された状態で行われるものである。
【００３６】
復帰処理判断部１７４は、ユーザーが入力部１６に入力した情報に基づいて、復帰処理を行うか否かを判断する。また、復帰処理判断部１７４の判断結果に応じて、電力供給制御部１７２や映像処理部１７３における動作が適宜実行される。
【００３７】
次に、光ディスク装置１において実行される、ＵＳＢポート１１において過電流が発生した場合の対処手順について、主に図４のフローチャートを参照しながら説明する。
【００３８】
制御部１７（過電流判断部１７１）は、電流検知部１４から得られる電流値情報によって過電流の発生を監視する（ステップＳ１）。電流検知部１４が、予め設定された電流値（規格値）を超える電流を検知した場合に、制御部１７は過電流が発生したと判断する。
【００３９】
制御部１７は、過電流が発生したと判断すると（ステップＳ１でＹｅｓ）、ＵＳＢポート１１への電力供給部１３からの電力供給を停止させる（ステップＳ２）。具体的には、電力供給制御部１７２からの制御信号によって、電力供給部１３に含まれるＵＳＢポート用のスイッチング素子がオンからオフへと切り替えられる。
【００４０】
また、制御部１７は、発光部１５（ＬＥＤ）を点灯させるとともに、表示装置２に選択画面を表示させる（ステップＳ３）。具体的には、電力供給制御部１７２からの制御信号によって、電力供給部１３に含まれる発光部用のスイッチング素子がオフからオンへと切り替えられる。発光部１５の点灯によって、ユーザーは、ＵＳＢポート１１への電力供給が停止されたことを、視覚を通じて容易に認知できる。
【００４１】
表示装置２に表示される選択画面（ＯＳＤ映像）とは、電源スイッチ１２のオン状態を維持しつつ、ＵＳＢポート１１への電力供給を復帰させる復帰処理を行うか否かを、ユーザーが選択できるようにする画面である。この選択画面は、映像処理部１７３によって生成された映像信号に基づいて表示される。選択画面は、例えば図５に示すようなＯＳＤ映像であって構わない。
【００４２】
図５に示す選択画面によって、ユーザーは、ＵＳＢポート１１への電力供給の復帰を試みるか、ＵＳＢポート１１への電力供給を停止しておくかを選択できる。項目の選択は、入力部１６の操作によってなされる。例えば、ユーザーが選択した項目がハイライト表示されるようにし、選択項目の選択が完了した時点でユーザーが「決定キー」（入力部１６に設けられる入力キー）を押すと、次の処理に進む構成としてよい。
【００４３】
なお、復帰処理は、ＵＳＢデバイス４がＵＳＢポート１１から抜かれた状態で行うのが好ましいために、本実施形態では、選択画面に、その旨が表示される構成になっている。また、選択画面において、ＵＳＢポート１１で過電流が検出されたためにＵＳＢポート１１への電力供給が停止されたことも、明示されるようになっている。すなわち、表示装置２は、ＵＳＢポート１１への電力供給が停止されたことを通知する通知部としての役割も果たしている。
【００４４】
制御部１７（復帰処理判断部１７４）は、選択画面によってユーザーが復帰（処理を行うこと）を選択したか否かを判断する（ステップＳ４）。復帰処理を行わないことが選択されたと判断した場合には（ステップＳ４でＮｏ）、制御部１７は、過電流が発生した場合の対処手順を終了する。この場合、電源スイッチ１２がオフされるまで、ＵＳＢポート１１への電力供給が停止された状態が維持されることになる。また、電源スイッチ１２がオフされるまで、発光部１５の点灯も維持される。なお、場合によっては、発光部１５は消灯されてもよい。
【００４５】
一方、復帰処理を行うことが選択されたと判断された場合には（ステップＳ４でＹｅｓ）、制御部１７は、電力供給部１３からＵＳＢポート１１への電力供給を再開させる（ステップＳ５）。具体的には、電力供給制御部１７２からの制御信号によって、電力供給部１３に含まれるＵＳＢポート用のスイッチング素子がオフからオンへと切り替えられる。
【００４６】
ＵＳＢポート１１への電力供給が再開されると、制御部１７（過電流判断部１７１）は、電流検知部１４から得られる電流値情報によって過電流の発生の有無を確認する（ステップＳ６）。電流検知部１４が、予め設定された電流値を超える電流を検知した場合に、制御部１７は過電流が発生していると判断する。
【００４７】
過電流が発生していると判断した場合には（ステップＳ６でＹｅｓ）、制御部１７は、ＵＳＢポート１１への電力供給を停止させるとともに、復帰処理に失敗した旨を通知する（ステップＳ７）。電力供給の停止は、電力供給制御部１７２からの制御信号によって、電力供給部１３に含まれるＵＳＢポート用のスイッチング素子がオンからオフへと切り替えられることによって達成される。また、復帰処理に失敗した旨の通知は、表示装置２の画面２ａに、例えば図６に示すようなＯＳＤ映像を表示することによって達成される。このようなＯＳＤ映像は、映像処理部１７３で生成された映像信号に基づいて表示される。
【００４８】
ステップＳ７が行われると、過電流が発生した場合の対処手順は終了され、電源スイッチ１２がオフされるまで、ＵＳＢポート１１への電力供給が停止された状態が維持されることになる。また、電源スイッチ１２がオフされるまで、発光部１５の点灯も維持されることになる。
【００４９】
過電流が発生していないと判断した場合には（ステップＳ６でＮｏ）、制御部１７は、発光部１５を消灯させるとともに、復帰処理に成功した旨を通知する（ステップＳ８）。発光部１５の消灯は、電力供給制御部１７２からの制御信号によって、電力供給部１３に含まれる発光部用のスイッチング素子がオンからオフへと切り替えられることによって達成される。また、復帰処理に成功した旨の通知は、表示装置２の画面２ａに、例えば図７に示すようなＯＳＤ映像を表示することによって達成される。このようなＯＳＤ映像は、映像処理部１７３で生成された映像信号に基づいて表示される。
【００５０】
ステップＳ８が行われた後は、ステップＳ１に戻って、制御部１７（過電流判断部１７１）は、再び、電流検知部１４から得られる電流値情報によって過電流の発生を監視することになる。過電流が発生した場合の処理手順は、上述のとおりである。
【００５１】
本実施形態の光ディスク装置１では、ＵＳＢポート１１において過電流が発生した場合に、自動的にＵＳＢポート１１への電力供給が停止される。このために、光ディスク装置１が備えるＩＣの破損等が発生し難く、光ディスク装置１の安定した動作が期待できる。
【００５２】
また、本実施形態の光ディスク装置１では、ＵＳＢポート１１への電力供給が停止された後において、一旦、電源スイッチ１２をオフしなくても、ＵＳＢポート１１への電力供給を復帰させられる場合がある。この復帰動作は、短時間（例えば数秒）で達成可能である。なお、ＵＳＢポート１１への電力供給を復帰させるために、電源スイッチ１２を一旦オフする場合には、装置の終了動作に時間がかかり（例えば１５秒以上）、ユーザーにストレスを与えやすいことが懸念された。特に、再生動作等が行われている場合に、装置の終了動作は長くなりやすい。本実施形態によれば、一旦、電源スイッチ１２をオフしなくてもＵＳＢポート１１への電力供給の復帰を試みることができ、ユーザーのストレスを緩和可能である。
【００５３】
また、例えば光ディスク装置１が録画動作中である場合等、ユーザーが電源スイッチ１２のオフを行いたくない場合においても、停止されたＵＳＢポート１１への電力供給を復帰させられる場合がある。このため、本実施形態の光ディスク装置１は、ユーザーにとって、従来よりも使い勝手が良いと言える。
【００５４】
また、本実施形態の光ディスク装置１では、発光部１５を設けることによって、ＵＳＢポート１１への電力供給が停止されたことが、ユーザーに分かりやすくなっている（視覚的に認知しやすくなっている）。ＵＳＢポート１１が複数とされる場合には、ＵＳＢポート１１毎に発光部１５が設けられるのが好ましい。これにより、電力供給が停止されているＵＳＢポート１１がいずれであるかについて、ユーザーが把握しやすくなり、発光部１５を設ける効果がより大きくなる。なお、本実施形態では、表示装置２によっても、ＵＳＢポート１１への電力供給が停止されたことが、ユーザーに通知されるようになっている。このために、場合によっては、発光部１５は設けない構成としてもよい。
【００５５】
以上に示した実施形態は本発明の例示であり、本発明の適用範囲は、以上に示した実施形態の構成に限定されるものではない。
【００５６】
例えば、以上に示した実施形態においては、ＵＳＢポート１１における過電流の発生を検知するための手段として、電流検知部１４が設けられた。しかし、ＵＳＢポート１１における過電流の発生の判断は、電流ではなく電圧の検知によっても可能である。したがって、ＵＳＢポート１１における過電流の発生を検知するための手段は、電流検知部１４に限られるものでなく、電流検知部以外のものに適宜変更されてよい。
【００５７】
また、以上に示した実施形態においては、本発明の電子機器が光ディスク装置１とされた。しかし、本発明は、外部機器が接続されるポートを備え、当該ポートを介して外部機器に駆動電力を供給可能な電子機器に広く適用可能である。すなわち、本発明の電子機器は、例えば、テレビジョン受像機、パーソナルコンピューター、プロジェクター等、光ディスク装置以外の電子機器であってもよい。
【００５８】
なお、本発明の電子機器がテレビジョン受像機に適用される場合には、「復帰処理を行うか否かを選択可能とする映像情報が表示される表示部」は、当該電子機器に備えられるのが好ましい。また、本発明の電子機器が光ディスク装置、パーソナルコンピューター、プロジェクター等に適用される場合には、「復帰処理を行うか否かを選択可能とする映像情報が表示される表示部」は、当該電子機器とは別に設けられるのが好ましい。ただし、例えば光ディスク装置等が表示部を有する場合には、この部分に上記の選択画面を表示するようにしてもよい。
【００５９】
その他、本発明の外部機器が接続されるポートは、信号ラインと電源ラインとを有するポートであれば、ＵＳＢポート以外のポートであってもよい。
【産業上の利用可能性】
【００６０】
本発明は、例えばＵＳＢポートを備える電子機器に好適である。
【符号の説明】
【００６１】
１  光ディスク装置（電子機器）
２  表示装置（表示部・通知部）
４  ＵＳＢデバイス（外部機器）
１１  ＵＳＢポート
１２  電源スイッチ
１３  電力供給部
１４  電流検知部
１５  発光部（通知部）
１６  入力部
１７  制御部
【図１】
2013143081.tif 000003
【図２】
2013143081.tif 000004
【図３】
2013143081.tif 000005
【図４】
2013143081.tif 000006
【図５】
2013143081.tif 000007
【図６】
2013143081.tif 000008
【図７】
2013143081.tif 000009